(57)【要約】【課題】電気機器のパフォーマンスを向上させつつ、ハードディスクドライブの寿命を長くすることである。【解決手段】電気機器は、ハードディスクドライブと、制御手段とを有し、前記ハードディスクドライブは、データを記憶するディスクと、前記ディスクに対してアクセスするためのヘッドとを有し、前記制御手段は、前記ヘッドが前記ディスクにアクセスするように制御を行った後、動作モードに応じた異なる所定時間経過後に、前記ヘッドをホームポジションに退避させるように制御を行う。【選択図】図６
2019200830.tif 000002
【特許請求の範囲】
【請求項１】
ハードディスクドライブと、
制御手段とを有し、
前記ハードディスクドライブは、
データを記憶するディスクと、
前記ディスクに対してアクセスするためのヘッドとを有し、
前記制御手段は、前記ヘッドが前記ディスクにアクセスするように制御を行った後、動作モードに応じた異なる所定時間経過後に、前記ヘッドをホームポジションに退避させるように制御を行うことを特徴とする電気機器。
【請求項２】
前記動作モードは、前記電気機器のすべての部分に電源が供給されている第１の動作モードと、前記電気機器の一部に電源が供給されている第２の動作モードとを有し、
前記第２の動作モードにおける前記所定時間は、前記第１の動作モードにおける前記所定時間よりも短いことを特徴とする請求項１に記載の電気機器。
【請求項３】
前記動作モードは、前記電気機器のジョブを実行しているジョブモードと、前記電気機器のジョブを実行していない非ジョブモードとを有し、
前記非ジョブモードにおける前記所定時間は、前記ジョブモードにおける前記所定時間よりも短いことを特徴とする請求項１に記載の電気機器。
【請求項４】
前記動作モードは、前記電気機器のジョブを実行しているジョブモードと、前記電気機器のジョブを待機しているスタンバイモードと、必要最小限の部分のみが動作するスリープモードとを有し、
前記スタンバイモードの前記所定時間と前記スリープモードにおける前記所定時間は、前記ジョブモードにおける前記所定時間よりも短いことを特徴とする請求項１に記載の電気機器。
【請求項５】
前記スリープモードにおける前記所定時間は、前記スタンバイモードにおける前記所定時間よりも短いことを特徴とする請求項４に記載の電気機器。
【請求項６】
前記制御手段は、
前記ヘッドが前記ディスクから第１のアプリケーションを読み出すように制御を行った後、第１の所定時間経過後に、前記ヘッドをホームポジションに退避させるように制御を行い、
前記ヘッドが前記ディスクから第２のアプリケーションを読み出すように制御を行った後、第２の所定時間経過後に、前記ヘッドをホームポジションに退避させるように制御を行い、
前記第１の所定時間と前記第２の所定時間は、相互に異なることを特徴とする請求項１に記載の電気機器。
【請求項７】
前記制御手段は、前記ヘッドが前記ディスクにアクセスするように制御を行った後、操作手段の操作に応じた異なる所定時間経過後に、前記ヘッドをホームポジションに退避させるように制御を行うことを特徴とする請求項１に記載の電気機器。
【請求項８】
前記所定時間は、前記操作手段の操作中もしくは最後の操作から閾値時間以内のアクセスであるか否かにより異なることを特徴とする請求項７に記載の電気機器。
【請求項９】
前記制御手段は、前記ヘッドが前記ディスクからアプリケーションを読み出すように制御を行った後、動作モードに応じた異なる所定時間経過後に、前記ヘッドをホームポジションに退避させるように制御を行うことを特徴とする請求項１〜８のいずれか１項に記載の電気機器。
【請求項１０】
前記制御手段は、定期的に、前記ヘッドが前記ディスクから前記アプリケーションを読み出すように制御を行うことを特徴とする請求項９に記載の電気機器。
【請求項１１】
前記制御手段の制御により印刷を行うプリンタ手段をさらに有することを特徴とする請求項１〜１０のいずれか１項に記載の電気機器。
【請求項１２】
ハードディスクドライブと、
制御手段とを有する電気機器の制御方法であって、
前記ハードディスクドライブは、
データを記憶するディスクと、
前記ディスクに対してアクセスするためのヘッドとを有し、
前記制御手段により、前記ヘッドが前記ディスクにアクセスするように制御を行った後、動作モードに応じた異なる所定時間経過後に、前記ヘッドをホームポジションに退避させるように制御を行うことを特徴とする電気機器の制御方法。
【発明の詳細な説明】
【技術分野】
【０００１】
本発明は、電気機器及び電気機器の制御方法に関する。
【背景技術】
【０００２】
ＨＤＤ（ハードディスクドライブ）は、磁気式の記憶手段であり、様々な電気機器（ＰＣやサーバの他に画像形成装置等）に搭載されている。例えば、画像形成装置は、印刷ジョブ処理において、画像データの他に、画像形成装置のログをＨＤＤに格納している。画像形成装置に搭載されているアプリケーションも、ＨＤＤに定期的にアクセスをしている。ＨＤＤは、主に磁気式の記録媒体であるディスクと、データのリードライトを行うヘッドから構成され、高速回転しているディスクと隙間をヘッドが移動しながらディスクにアクセスする（これをロードという）。これにより、高速かつランダムにデータをリードライトすることが可能である。
【０００３】
しかしながら、ＨＤＤは、ロード中に衝撃を与えたりすると、ヘッドやディスクにダメージを与えることがある。このため、ＨＤＤは、ロード後には、ヘッドをホームポジションに退避させることが主流となっている。なお、ＨＤＤを使用している電気機器のパフォーマンスを向上させるという点で、データの読み書きを行った後、直ちにヘッドをホームポジションに戻すのではなく、一定期間後に戻す制御を行う方法が知られている（例えば特許文献１参照）。
【先行技術文献】
【特許文献】
【０００４】
【特許文献１】特開２００７−０１２２５０号公報
【発明の概要】
【発明が解決しようとする課題】
【０００５】
しかし、電気機器によっては、頻繁にＨＤＤへのアクセスがなされる場合がある。その場合、データの読み書きを行った後、ヘッドをホームポジションに戻すまでの時間の合計が長くなり、ＨＤＤの寿命が短くなってしまう課題がある。
【０００６】
本発明の目的は、電気機器のパフォーマンスを向上させつつ、ハードディスクドライブの寿命を長くすることである。
【課題を解決するための手段】
【０００７】
本発明の電気機器は、ハードディスクドライブと、制御手段とを有し、前記ハードディスクドライブは、データを記憶するディスクと、前記ディスクに対してアクセスするためのヘッドとを有し、前記制御手段は、前記ヘッドが前記ディスクにアクセスするように制御を行った後、動作モードに応じた異なる所定時間経過後に、前記ヘッドをホームポジションに退避させるように制御を行う。
【発明の効果】
【０００８】
本発明によれば、電気機器のパフォーマンスを向上させつつ、ハードディスクドライブの寿命を長くすることができる。
【図面の簡単な説明】
【０００９】
【図１】画像形成装置の構成例を示すブロック図である。
【図２】メインコントローラの構成例を示すブロック図である。
【図３】ＨＤＤの構成例を示す図である。
【図４】アプリがＨＤＤにアクセスした際のロード時間を示す図である。
【図５】ＨＤＤの制御を説明するためのブロック図である。
【図６】ＨＤＤのロード時間制御方法を示すフローチャートである。
【発明を実施するための形態】
【００１０】
以下、本発明の実施形態である電気機器の例として、画像形成装置を用いて説明する。なお、この実施形態に記載されている構成要素はあくまで例示であり、この発明の範囲をそれらのみに限定する趣旨のものではない。
【００１１】
図１は、本発明の実施形態による画像形成装置１０の構成例を示すブロック図である。画像形成装置１０は、プリント機能、スキャナ機能、コピー機能、ＦＡＸ機能などの複数の機能を備えるＭＦＰ（Multi Function Peripheral）である。画像形成装置１０は、電源部１００と、メインコントローラ部２００と、スキャナ部３００と、プリンタ部４００と、操作部５００とを有する。電源部１００は、画像形成装置１０の各部に対して、電源供給を行っている。スキャナ部３００は、原稿から光学的に画像を読み取り、画像データを生成する。プリンタ部４００は、メインコントローラ２００の制御により、電子写真方式に従って記録媒体（用紙）に画像を形成（印刷）する。メインコントローラ部２００は、スキャナ部３００、外部装置１１３、ＦＡＸ１１２から入力された画像データを処理してプリンタ部４００へ出力する。また、メインコントローラ部２００は、操作部５００に入力されたユーザ指示に応じて、スキャナ部３００とプリンタ部４００を含む画像形成装置１０の統括的な動作を制御する。
【００１２】
画像形成装置１０は、ジョブモードと、スタンバイモードと、スリープモードの３種類の動作モードを有する。ジョブモードでは、画像形成装置１０は、コピーやスキャン動作等のジョブを実行し、画像形成装置１０のすべての部分に電源が供給される。スタンバイモードとスリープモード（非ジョブモード）では、画像形成装置１０は、ジョブを実行せず、画像形成装置１０の一部に電源が供給される。スタンバイモードでは、画像形成装置１０は、ジョブを待機している状態であり、スキャナ部３００とプリンタ部４００以外の部分に電源が供給される。スリープモードでは、画像形成装置１０は、必要最小限の部分（ＦＡＸ１１２などの外部との通信部やメインコントローラ部２００）のみが動作し、必要最小限の部分に電源が供給される。画像形成装置１０は、操作部５００やＰＣ（パーソナルコンピュータ）等の外部装置１１３よりジョブを入力すると、ジョブモードとなり、画像形成動作などを行う。画像形成装置１０は、ジョブが終了すると、ジョブモードからスタンバイモードへ移行する。画像形成装置１０は、スタンバイモードに移行後、一定時間経過しても画像形成装置１０が使用されない場合や操作部５００においてスリープモードへと移行させる操作が行われることで、スタンバイモードからスリープモードへ移行する。
【００１３】
図２は、図１のメインコントローラ部２００の構成例を示すブロック図である。メインコントローラ部２００は、ＣＰＵ２０４と、メモリ部２０５と、ＨＤＤ（ハードディスクドライブ）２０６と、画像処理部２０７とを有する。ＣＰＵ２０４は、画像処理装置１０の全体の制御を行う中央演算装置である。ＣＰＵ２０４は、操作部５００、ＦＡＸ１１２、外部装置１１３からの信号を入力し、コピー機能、プリント機能、ＦＡＸ機能等の機能を実現する。また、ＣＰＵ２０４は、ＨＤＤ２０６内のＨＤＤコントローラ２０６Ｃ（図３）に接続され、ＨＤＤ２０６の制御を行う制御手段である。なお、詳細な制御については後述する。
【００１４】
メモリ部２０５は、ＤＤＲ  ＳＤＲＡＭ等の揮発性メモリであり、ＣＰＵ２０４で実行されるジョブなどを一時的に格納する記憶装置である。ＨＤＤ２０６は、ＣＰＵ２０４に接続され、アプリケーションや画像形成装置１０に関する各種設定情報等を格納するための記憶装置である。画像処理部２０７は、ＣＰＵ２０４、プリンタ部４００、スキャナ部３００に接続されている。画像処理部２０７は、スキャナ部３００から出力されたデジタル画像に対して色空間変換などの画像処理を行い、画像処理後のデータをＣＰＵ２０４に出力する。また、画像処理部２０７は、スキャナ部３００で読み取られた画像データに対して色空間変換などの画像処理を行い、ビットマップデータに変換し、プリンタ部４００に出力する。
【００１５】
図３は、図２のＨＤＤ２０６の構成例を示す図である。ＨＤＤ２０６は、所定の間隔をもって積層されている複数のディスク円板２０６Ａと、磁気ヘッド（以下ヘッドという）２０６Ｂと、ＨＤＤコントローラ２０６Ｃとを有する。ディスク円板２０６Ａは、データを記憶する。ヘッド２０６Ｂは、ディスク円板２０６Ａに対してアクセスする。ＨＤＤコントローラ２０６Ｃは、ＣＰＵ２０４からＨＤＤ２０６の制御コマンドを入力し、ＳＡＴＡコマンドに変換してＨＤＤ２０６の制御を行う。ＨＤＤコントローラ２０６Ｃは、ＣＰＵ２０４から書き込み、読み出し、消去のコマンドを入力した場合は、それぞれに対応するＳＡＴＡコマンドに変換して、ヘッド２０６Ｂをディスク円板２０６Ａの特定のセクタへとアクセスさせる。そして、ＨＤＤコントローラ２０６Ｃは、ＨＤＤ２０６内に格納されているアプリケーションやデータの書き込み、読み出し、消去処理を行う。ＨＤＤコントローラ２０６Ｃは、ＣＰＵ２０４からヘッド２０６Ｂを退避させるコマンドを入力した場合は、同様に、ＳＡＴＡコマンドに変換して、ヘッド２０６Ｂをホームポジションへと退避させる。
【００１６】
ヘッド２０６Ｂは、ＨＤＤコントローラ２０６ＣからのＳＡＴＡコマンドを入力し、ホームポジションへの退避、ディスク円板２０６Ａの特定のセクタへのアクセス、ならびに情報の読み出し、書き込み、消去処理を行う。ヘッド２０６Ｂがホームポジションに退避している状態をアンロード状態といい、ヘッド２０６Ｂがディスク円板２０６Ａ上にある状態をロード状態という。また、ヘッド２０６Ｂがロード状態にある期間をロード時間という。
【００１７】
図４は、ＣＰＵ２０４がＨＤＤ２０６に格納されたアプリケーションＡ（以下アプリＡという）を読み出して実行する例を説明するための図である。以下、ＣＰＵ２０４がアプリＡの読み出し処理終了後、ヘッド２０６Ｂをホームポジションへ退避させるまでの時間が画像形成装置１０の動作モードによって変化する例を説明する。例えば、画像形成装置１０のジョブモードでは、パフォーマンス向上のため、アプリＡの読み出し処理終了時刻（時刻ｔ０の１秒後）から、ヘッド２０６Ｂをホームポジションに退避させるまでの時間を１５秒とする。また、スタンバイモードでは、アプリＡの読み出し処理終了時刻（時刻ｔ１の１秒後）から、ヘッド２０６Ｂをホームポジションに退避させるまでの時間を５秒とする。また、スリープモードでは、アプリＡの読み出し処理終了時刻（時刻ｔ２の１秒後）から、ヘッド２０６Ｂをホームポジションに退避させるまでの時間を１秒とする。また、ＣＰＵ２０４は、５分毎の時刻ｔ０，ｔ１，ｔ２に定期的にアプリＡを読み出しており、アプリＡの読み出し処理にかかる時間は１秒とする。
【００１８】
初めに、画像形成装置１０は、ジョブを開始し、ジョブモードとなる。ジョブモード中の時刻ｔ０では、ＣＰＵ２０４は、アプリＡを読み出す。ジョブモードでは、読み出し時間が１秒であり、読み出し終了からヘッド２０６Ｂをホームポジションに退避させるまでの時間が１５秒であるため、ロード時間は１６秒となる。
【００１９】
時刻ｔ０から５分経過後の時刻ｔ１では、ＣＰＵ２０４は、アプリＡを読み出す。その場合、画像形成装置１０は、時刻ｔ０とｔ１の間でジョブが終了となり、スタンバイモードへと移行している。スタンバイモードでは、読み出し時間が１秒であり、読み出し終了からＨＤＤ２０６のヘッド２０６Ｂをホームポジションに退避させるまでの時間が５秒であるため、ロード時間は６秒となる。スタンバイモードにおけるロード時間（６秒）は、ジョブモードにおけるロード時間（１６秒）と比較すると、１０秒間短縮することができる。
【００２０】
時刻ｔ１から５分経過後の時刻ｔ２では、ＣＰＵ２０４は、再びアプリＡを読み出す。画像形成装置１０は、時刻ｔ１とｔ２の間でスタンバイモードからスリープモードへと移行している。スリープモードでは、読み出し時間が１秒であり、読み出し終了からＨＤＤ２０６のヘッド２０６Ｂをホームポジションに退避させるまでの時間が１秒であるため、ロード時間は２秒となる。スリープモードにおけるロード時間（２秒）は、スタンバイモードにおけるロード時間（６秒）より短い。スリープモードにおけるロード時間（２秒）は、ジョブモードにおけるロード時間（１６秒）と比較すると、１４秒間短縮することができる。
【００２１】
画像形成装置１０は、頻繁にＨＤＤ２０６へのアクセスがなされる場合がある。例えば、画像形成装置１０は、画像形成装置１０のログの書き込みの他、画像形成装置１０内に搭載されているメモリ部２０５に格納されているアプリＡが定期的にＨＤＤ２０６にアクセスし、情報の読み書きを行う。ジョブモードでは、アプリＡがＨＤＤ２０６へアクセスした際、ＨＤＤ２０６へのデータのアクセスに要する時間が１秒である。また、ジョブモードでは、画像形成装置１０のパフォーマンスを向上させるために、ＨＤＤ２０６へのアクセスの後、ＨＤＤ２０６のヘッド２０６Ｂがホームポジションに戻るまでの時間が１５秒である。その時、アプリＡがアクセスを開始してからＨＤＤ２０６のヘッド２０６Ｂがホームポジションに戻るまでの時間（ロード時間）は、合計で１６秒である。
【００２２】
一方、画像形成装置１０は、画像形成装置１０としてのパフォーマンスを向上させる必要があるのはジョブモードのみである。スタンバイモード及びスリープモードでは、ＨＤＤ２０６へのアクセスが終了後、すぐにＨＤＤ２０６のヘッド２０６Ｂをホームポジションに戻しても画像形成装置１０のパフォーマンスには影響を与えない。画像形成装置１０は、ジョブモードよりもスタンバイモード及びスリープモードの期間が長い。そのため、画像形成装置１０の動作モードに関係なく、ＨＤＤ２０６へのデータの読み書き後にヘッド２０６Ｂをホームポジションに戻す時間が固定である場合、スタンバイモード及びスリープモードのロード時間が長くなってしまう。これにより、ＨＤＤ２０６のロード時間の規格寿命をすぐに超え、画像形成装置１０としての寿命が短くなってしまう。
【００２３】
本実施形態では、画像形成装置１０は、ジョブモードにおけるロード時間が１６秒であり、スタンバイモードにおけるロード時間が６秒であり、スリープモードにおけるロード時間が２秒である。スタンバイモード及びスリープモードにおけるロード時間は、ジョブモードにおけるロード時間よりも短い。また、画像形成装置１０のパフォーマンス向上を維持することができる。画像形成装置１０は、スタンバイモード及びスリープモードにおけるロード時間を短くすることにより、ＨＤＤ２０６の寿命を長くし、パフォーマンス向上を維持することができる。
【００２４】
図５は、ＣＰＵ２０４とＨＤＤ２０６の構成例を示すブロック図である。ＣＰＵ２０４は、画像形成装置１０の状態を把握するＯＳ部２０４Ａと、ＨＤＤ２０６へコマンドを出力するＨＤＤドライバ２０４Ｂと、時間を計測するタイマ２０４Ｃとを有する。ＯＳ部２０４ＡとＨＤＤドライバ２０４Ｂは、ソフトウェア（プログラム）である。タイマ２０４Ｃは、時間を計測する。ＨＤＤドライバ２０４Ｂは、タイマ２０４Ｃにより計測された時間とＯＳ部２０４Ａにより把握された画像形成装置１０の状態により、ＨＤＤコントローラ２０６Ｃへヘッド２０６Ｂを制御するためのコマンドを出力する。
【００２５】
図６は、画像形成装置１０の制御方法を示すフローチャートである。以下、ＣＰＵ２０４がアプリＡを読み出す際のＨＤＤ２０６のヘッド２０６Ｂの挙動を示す。ＣＰＵ２０４は、アプリＡを読み出す処理と、ＣＰＵ２０４がアプリＡを読み出した後にヘッド２０６Ｂをホームポジションに退避させるまでの時間等の各種動作条件については、図４で説明した条件と同じである。
【００２６】
初めに、ステップＳ６０１では、ＣＰＵ２０４は、アプリＡを読み出すタイミング（アプリＡへアクセスするタイミング）になるまで待機し、アプリＡを読み出すタイミングになると、ステップＳ６０２に進む。ステップＳ６０２では、ＣＰＵ２０４は、ＨＤＤコントローラ２０６Ｃに対してアプリＡの読み出しコマンドを出力する。ＨＤＤコントローラ２０６Ｃは、ＣＰＵ２０４から出力されたコマンドを入力し、ヘッド２０６Ｂをディスク円板２０６ＡのアプリＡが格納されている所定のセクタの上へと移動させ、アプリＡの読み出し（アクセス）を開始する。なお、アクセスは、読み出しに限定されず、書き込み又は消去でもよい。以下、アクセスの例として、読み出しの場合を説明する。次に、ステップＳ６０３では、ＣＰＵ２０４は、アプリＡの読み出し処理が終了するまで待機し、アプリＡの読み出し処理が終了すると、ステップＳ６０４へ進む。
【００２７】
ステップＳ６０４では、ＣＰＵ２０４は、画像形成装置１０の動作モード状態を判定する。ＣＰＵ２０４は、画像形成装置１０がジョブモードである場合にはステップＳ６０５に進み、画像形成装置１０がスタンバイモードである場合にはステップＳ６０８に進み、画像形成装置１０がスリープモードである場合にはステップＳ６０７に進む。
【００２８】
ステップＳ６０５では、ＣＰＵ２０４は、アプリＡの読み出し処理が終了してから１５秒経過したか否かを判定する。ＣＰＵ２０４は、１５秒経過するまで待機し、１５秒経過した場合には、ステップＳ６０６へ進む。
【００２９】
ステップＳ６０８では、ＣＰＵ２０４は、アプリＡの読み出し処理が終了してから５秒経過したか否かを判定する。ＣＰＵ２０４は、５秒経過するまで待機し、５秒経過した場合には、ステップＳ６０６へ進む。
【００３０】
ステップＳ６０７では、ＣＰＵ２０４は、アプリＡの読み出し処理が終了してから１秒経過したか否かを判定する。ＣＰＵ２０４は、１秒経過するまで待機し、１秒経過した場合には、ステップＳ６０６へ進む。
【００３１】
ステップＳ６０６では、ＣＰＵ２０４は、ＨＤＤコントローラ２０６Ｃに対して、退避コマンドを出力する。すると、ＨＤＤコントローラ２０６Ｃは、ヘッド２０６Ｂをホームポジションへと退避させる。
【００３２】
以上で説明したように、ＨＤＤ２０６がＣＰＵ２０４から読み出し等のアクセスコマンドを入力し、アクセス処理が終了した後に、画像形成装置１０の動作モードに応じてＨＤＤ２０６のヘッド２０６Ｂをホームポジションへ退避させるまでの時間を変化させる。ＣＰＵ２０４は、ヘッド２０６Ｂがディスク円板２０６Ａにアクセスするように制御を行った後、動作モードに応じた異なる所定時間経過後に、ヘッド２０６Ｂをホームポジションに退避させるように制御を行う。これにより、ＨＤＤ２０６のロード時間を必要最小限にすることが可能となり、ＨＤＤ２０６の寿命と画像形成装置１０のパフォーマンス向上を両立することが可能となる。
【００３３】
なお、本実施形態では、画像形成装置１０の動作モードに応じてＨＤＤ２０６のヘッド２０６Ｂをホームポジションに退避させるまでの時間を変える制御について説明したが、これに限定されない。画像形成装置１０は、動作モードのみならず、ＨＤＤ２０６にアクセスするアプリケーションに応じて、アプリケーションの読み出し処理終了後、ヘッド２０６Ｂをホームポジションに退避させる時間を変化させる制御を行っても良い。ＣＰＵ２０４は、ヘッド２０６Ｂがディスク円板２０６Ａから第１のアプリケーションを読み出すように制御を行った後、第１の所定時間経過後に、ヘッド２０６Ｂをホームポジションに退避させるように制御を行う。また、ＣＰＵ２０４は、ヘッド２０６Ａがディスク円板２０６Ａから第２のアプリケーションを読み出すように制御を行った後、第２の所定時間経過後に、ヘッド２０６Ｂをホームポジションに退避させるように制御を行う。上記の第１の所定時間と第２の所定時間は、相互に異なる。
【００３４】
また、画像形成装置１０は、スタンバイモードでは、ユーザが操作部５００で画像形成装置１０の設定変更を行う場合がある。この場合、操作部５００の操作中もしくは最後の操作から閾値時間以内であるか否かでＨＤＤ２０６のヘッド２０６Ｂをホームポジションに戻す時間を変化させる制御を行っても良い。ＣＰＵ２０４は、ヘッド２０６Ｂがディスク円板２０６Ａにアクセスするように制御を行った後、操作部５００の操作に応じた異なる所定時間経過後に、ヘッド２０６Ｂをホームポジションに退避させるように制御を行う。上記の所定時間は、操作部５００の操作中もしくは最後の操作から閾値時間以内のアクセスであるか否かにより異なる。
【００３５】
さらに、本実施形態では、電気機器の例として画像形成装置１０を用いて説明したが、これに限定されない。ＨＤＤ２０６が搭載されて複数の動作モードを持ち、ＨＤＤ２０６への読み書き処理が終了してからＨＤＤ２０６のヘッド２０６Ｂをホームポジションへ退避させるまでの時間が変化する画像形成装置１０に限定されない。画像形成装置１０に限定されず、すべての電気機器に対して適用することが可能である。
【００３６】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００３７】
２００：メインコントローラ部、２０４：ＣＰＵ、２０６：ＨＤＤ、２０６Ａ：ディスク円板、２０６Ｂ：磁気ヘッド、２０６Ｃ：ＨＤＤコントローラ、５００：操作部
【図１】
2019200830.tif 000003
【図２】
2019200830.tif 000004
【図３】
2019200830.tif 000005
【図４】
2019200830.tif 000006
【図５】
2019200830.tif 000007
【図６】
2019200830.tif 000008